(57)【要約】【課題】中空容器の口頸部に蓋体を嵌着して密閉状態に保持するのに、蓋体をできるだけ簡単な構造に形成すると共に、できるだけ多くの中空容器に適用できるような構造にする。【解決手段】クリーム状その他の内容物を収容可能に形成した中空容器本体の開口部を密閉する密閉蓋体を、口頸部に設けた係合突起に係止して密閉すると共に開閉自在に形成した密閉容器であって、前記密閉蓋体は前記係合突起に係止する係合片を設けて開口部に密着する中蓋と該中蓋に被着して口頸部に締めつけるように構成した外蓋とから形成してなる容易に開開可能な密開蓋体を有する密閉容器。【選択図】        図１
2005022730.tif 000002
【特許請求の範囲】
【請求項１】
クリーム状その他の内容物を収容可能に形成した中空容器本体の開口部を密閉する密閉蓋体を、口頸部に設けた係合突起に係止して密閉すると共に開閉自在に形成した密閉容器であって、前記密閉蓋体は前記係合突起に係止する係合片を設けて開口部に密着する中蓋と該中蓋に被着して口頸部に締めつけるように構成した外蓋とから形成してなることを特徴とする容易に開開可能な密開蓋体を有する密閉容器。
【請求項２】
前記係止片は、中蓋の嵌合壁に簿肉を介して変形可能に設けられて、外蓋の周壁部により口頬部に締めつけ可能に形成されていることを待徴とする請求項１に記載する容易に開閉可能な密閉蓋体を有する密閉容器。
【請求項３】
クリーム状その他の内容物を収容可能に形成した中空容器本体の開口部を密閉する密閉蓋体を、口頸部に設けた係合突起に係止して密閉すると共に開閉自在に形成した密閉容器であって、中空容器本体の開口部に嵌着して密閉する中蓋を、喋番により口頸部に開閉自在に連結すると共に、前記中蓋の嵌合筒部の端部に薄肉を介して突設した係止片を口頸部に係止可能にして密閉蓋を形成して、前記密閉蓋に天板と嵌合筒部および係合片を覆って密着可能に形成した押さえ蓋を被着すると共に、前記密閉蓋と一体に蝶番に連結して開閉可能な密閉蓋体に形成してなることを特徴とする容易に開閉可能な密閉蓋体を有する密閉容器。
【請求項４】
クリーム状その他の内容物を収容可能に形成した中空容器本体の開口部を密閉する密閉蓋体を、口頸部に設けた係合突起に係止して密閉すると共に開閉自在に形成した密閉容器であって、中空容器本体の開口部に嵌着して密閉する中蓋を、口頸部に開閉自在に嵌着可能にすると共に、前記中蓋の嵌合筒部の端部に薄肉を介して突設した係止片を口頸部に係止可能にして密閉蓋を形成して、前記密閉蓋に天板と嵌合筒部および係合片を覆って螺着可能に形成した押さえ蓋を螺合すると共に、前記密閉蓋と一体に着脱可能に連結した密閉蓋体に形成してなることを特徴とする容易に開閉可能な密閉蓋体を有する密閉容器。
【発明の詳細な説明】
【０００１】
【発明の属する技術分野】
本願の発明は、各種の内容物を収容した広口の中空容器の開口部に密閉蓋を開閉自在に設けた収納容器に係わるもので、中でも、化粧用のクリームや白粉等を収容するのに適した中空容器の開口部を密閉する蓋体を、指先により簡単に開開できるようにした広口の密閉容器に関するものである。
【０００２】
【従来の技術】
従来から着脱自在な蓋体を有する広口の密閉容器は、ジヤムやバターその他の液状食品を収容した食品容器、クリームや白粉等の化粧科を収容した化粧品容器、靴墨やワックス等を収容した日用品容器等に広く用いられてきた。
そして、このような広口の密封容器は、実公昭５３−７９４１号や実公平７−２３４１１号、特開平１０−２０３５４７号公報に見られるように、ガラスや合成樹脂等で成形した中空容器の口頸部に、金属または合成樹脂やエボナイト等で形成されたネジ蓋や嵌合蓋を螺合または嵌合して密閉する形式のものが、一般に使用されてきた。
【０００３】
上記のような密閉容器は、特別な道具を用いなくて蓋体を簡単に開封することができ、また、再び簡単に密閉することができて、非常に便利であることから多くの密封容器に使用されている。
しかし、一般に多用されているこのような容器は、容器本体の口頸部に所定のピッチで形成されたネジ山に対して、内周面に前記ネジ山と同一ピッチのネジが形成されたネジ蓋を螺合させるか、または、口頸部に形成された係合突起に係合する係合部を設けた蓋部を係止させることにより、容器の開口部を蓋体で密封するようにしたものであるから、蓋体の開閉がやや面倒であると共に、開封して容器から分離された蓋体が落下して汚れたり、紛失することがあった。
【０００４】
また、上記した容器の口径が大きい容器の場合には、容器本体の口頸部のネジ山の先端部にネジ蓋の溝を噛み合わせて、ネジ蓋を容器本体の口頸部に正確に螺合させるには、ネジ蓋を半周以上にわたって慎重に回転させて螺合しなけれぱならない不便さもある。
そこで、このような不便さを解消して、もっと簡単に蓋体を開閉できるようにした密封容器として、図９に示すように、密閉蓋体２４を容器本体２２の口頸部２３に開閉自在に連結した密閉容器２１が知られれている。
【０００５】
上記の密閉容器２１は、広口の中空容器本体２２の開口部を密閉するようにした蓋体２４の一端を、容器の口頸部２３に回動バネを有する蝶番２５等により開閉自在に連結したものである。
そして、前記蓋体２４は、図９に示すように、中空容器本体２２の開口端に密着して密閉する円板状の天板２４ａと、該天板の周縁部に垂設されて容器本体の口頸部２３の外周面に密着する円筒縁部２４ｂと、該円筒縁部に突設されて口頸部の係合突起２３ａに係合して係止可能に形成された係止片２６と、前記円形状の天板２４ａの周縁部の一端に設けて容器の口頸部２３に連結する蝶番２５とから形成されている。
【０００６】
上記のような構成をした密閉容器２１は、容器本体２２の収容凹部にクリームや白粉等の化粧料を収容してから前記蓋体２４を閉じると、天板２４ａの内面に設けられたパッキン２７が容器本体２２の口頸部２３の開口端に密着して、前記円筒縁部２４ｂが口頸部２３の外周面に嵌合、密着して密閉すると共に、前記係止片２６が口頸部２３の外周面に設けられた係合突起２３ａに係止して、前記蓋体２４は容器本体２２の口頸部２３に嵌合、固定される。
また、このようにして開口部が密閉された容器の蓋体を開いて使用するには、蓋体の前記係止片の先端部に手の指先を掛けて押し上げると、係止片は外側へ弾性変形して口頸部の係合突起との間の係合関係が解かれて、蓋体の円筒縁部が開口端から離れると、蓋体は蝶番のバネの復元力により上方へと開かれる。
【０００７】
このように形成した密閉容器に於いては、容器の口頸部に蝶番を介して開閉自在に連結された蓋体は、開口部を密閉して係止片により口頸部に密閉、係止されていて、前記係止片を指先で押し上げることにより蓋体を簡単に開放することができて便利である。
しかし、前記蓋体は、係止片のみで口頸部に係止されて密閉状態に保持されるが、不用意に蓋体が開くことがないように係止するために、係止片自体が肉厚に形成されているので、前記蓋体を開くには係止片を押し上げて変形させなくてはならず、それには指先にやや大きな力を必要とするので、指先の力が弱い人にとっては開けにくい場合があるから、もう少し小さな力でも簡単に素早く蓋体を開けることができるような構造をした密閉容器が望まれる。
【０００８】
【発明が解決しようとする課題】
本願の発明は、上記したような問題点を解決して、開閉自在な蓋体を有する密閉容器に於いて、中空容器本体の開口部に対して蓋体を容易に開閉することができて、密封性を維持することができるように創案したもので、中空容器の口頸部に蓋体を嵌着して密閉状態に保持するのに、蓋体をできるだけ簡単な構造に形成すると共に、できるだけ多くの中空容器に適用できるような構造にして、また、小さな指先の力だけで蓋体を簡単に素早く、且つ、スムーズに開開することができるように形成すると共に、中空容器の口頸部に嵌着された蓋体は、開封操作を行う時以外には、自然に開蓋されることがないように構成された密封容器を提供することを目的とする。
【０００９】
【課題を解決するための手段】
本願の発明は、上記した目的を達成するために、中空容器の開口部に嵌着して密閉する蓋体を、喋番により口頸部に開閉白在に連結した密閉容器に於いて、前記蓋体を中空容器の開口端に密着する天板と、該天板の周縁部にして中空容器の口頸部に嵌合する円筒縁部とから密閉可能にすると共に、前記円筒縁部の端部に薄肉を介して係合片を突設して口頸部に係止可能にして密閉蓋を形成して、前記密閉蓋を蝶番を介して口頸部に開閉自在に連結して、更に、前記密閉蓋に対して前記天板と円筒縁部および係合片とを覆って密着可能に形成した押さえ蓋を設けると共に、該押さえ蓋を前記密閉蓋の蝶番に一体に連結して、前記密閉蓋と一緒に開閉可能にした密閉蓋体に形成して、中空容器の口頸部に開閉自在に連結した密閉蓋体を有する密閉容器を構成する。
【００１０】
【発明の実施の形態】
本願発明の密閉容器は、クリームや白粉等の化粧料その他を収容可能な収容凹部を設けた中空容器を、合成樹脂やガラスその他により成形して、前記中空容器の口頸部の外周部に密閉蓋を開閉自在に連結する蝶番と、容器の開口部を密閉した密閉蓋を係止する係合突起とを設けて中空容器本体を形成する。
そして、前記中空容器本体の開口部を密閉して口頸部に嵌着可能に形成すると共に口頸部の係合突起に係止する係止片を形成した密閉蓋を、口頸部に蝶番を介して開閉自在に連結して密閉容器を形成すると共に、前記密閉蓋の外面を覆って密着するように形成した押さえ蓋を、前記密閉蓋と一体に蝶番により開閉可能に連結して、開閉自在な密閉蓋体を有する密閉容器を形成する。
【００１１】
【実施例】
本願の発明について、一つの最適な実施例に基づいて、図面を参照しつつ、以下に説明する。
本願発明は、熱可塑性合成樹脂やガラス等を用いて、クリームや白粉等の化粧料、あるいは、その他のクリーム状物質等を収容可能な収容凹部を設けた中空の容器本体２を形成して、前記容器本体の口頸部３に容器の開口部を密閉する密閉蓋４を開閉自在に連結する蝶番５部分を形成すると共に、前記開口部を密閉した密閉蓋４を係止する係合突起３ａを形成して、図１に示すような密閉容器１に於けるクリーム等を収容可能な中空容器本体２を形成する。
【００１２】
そして、上記した中空容器本体２には、図２に示すように、開口部に密着して密閉する天板４ａと口頸部に嵌合する筒状の嵌合壁４ｂと係合突起３ａに係止する係止片６とからなる密閉蓋４を開閉可能に前記蝶番５に連結すると共に、前記密閉蓋４の上から天板４ａと嵌合壁４ｂと係止片６を覆って密着するように形成した押さえ蓋８を被せて、前記密閉蓋４と一体に開閉可能に前記蝶番部５に連結して、簡単に開閉可能となした密閉蓋体９に形成することにより、図１および図２等に示したように、開閉自在な密閉蓋体を有する密閉容器１を形成する。
【００１３】
上記したような中空の容器本体は、熱可塑性合成樹脂を射出成形することにより、クリームや白粉その他を収容可能にする中空の収容凹部と口頸部とを有する内壁部２ａを形成すると共に、前記収容凹部の口頸部に段部を設けて内壁部を囲んで保護するように連設する外壁部２ｂを形成して、更に、前記口頸部３の一側部には密閉蓋体９が連結される蝶番部５を形成すると共に、前記蝶番と反対側には密閉蓋の係止片６が係合する係合突起３ａを形成することにより、前記容器本体２の開口部を密閉する密閉蓋体９を開閉可能に蝶番連結して、前記密閉蓋体を密閉状態で口頸部に係止して固定可能に形成される。
【００１４】
また、上記した開閉可能な密閉蓋４を形成するには、熱可塑性合成樹脂を射出成形して、図５に示すように、中空容器本体２の開口部に密着して密閉する円板状の天板部４ａを形成すると共に、該天板の縁部に筒状の嵌合壁４ｂを周設して中空容器本体２の口頸部３に嵌着可能な蓋部を形成して、更に、前記嵌合壁の一端部に薄肉部６ａを介して容易に変形可能な係止片６を突設して、前記口頸部の係合突起３ａに係止可能に形成すると共に、前記係止片と反対側の前記蓋部の端部に連結部を突設して、中空容器本体２の口頸部３の蝶番に連結可能に形成することにより、中空容器本体２の口頸部３に開閉可能に連結する密閉蓋４を形成する。
【００１５】
そして、前記密閉蓋４の外側に押さえ蓋８を被着して一体となした開閉白在な密閉蓋体９を形成するには、密閉蓋と同様に熱可塑性合成樹脂を射出成形して、図１または図２等に示すように、前記密閉蓋４の天板４ａと嵌合壁４ｂと係止片６とを覆うようにして密着可能な平坦状の上壁部８ａと筒状の周壁部８ｂとからなる押さえ蓋８を形成して、前記押さえ蓋の周壁部の一端部に前記密閉蓋と一体にして前記蝶番に連結可能な連結部を設けると共に、前記連結部とは反対側の周壁部に開閉用の指掛け片８ｃを設ける。
このようにして形成した押さえ蓋８は、内面に気密性のパッキン７等を設けた前記密閉蓋４に上から被せて密着せしめて一体にしてから、前記連結部４ｃを中空容器本体２の蝶番５部分に回動可能に連結して、開閉可能な密閉蓋体９に形成すると、図１に示したような開閉自在な密閉蓋体９を有する密閉容器１が構成される。
【００１６】
上記のように構成された密閉容器１は、開閉自在な密閉蓋体９を開いた状態にして、容器本体２の収容凹部内にクリームや白粉等の化粧料を充填してから前記密閉蓋体を閉じると、図２に示すように、密閉蓋体９の内蓋である密閉蓋４に設けられたパッキン７が開口部の端面に密着すると共に、筒状の嵌合壁４ｂが口頸部３に嵌合して容器の開口部を密閉されるが、それと同時に、嵌合壁４ｂの端部に設けた係止片６が口頸部の係合突起３ａに係止されて、前記密閉蓋４は密閉状態に固定される。
このようにして口頸部に固定された密閉蓋４は、密閉蓋体９の外蓋である押さえ蓋８により外周面が締めつけられて、押さえ蓋８の周壁部８ｂの内面に設けられた突起部８ｄが前記係止片６の簿肉の連結部６ａに係合して、密開蓋４と押さえ蓋８からなる密開蓋体９は、容器本体２の口頸部３にきつく固定されて不用意に開蓋しないように保持する。
【００１７】
上記のように容器本体２の口頸部３に固定された密閉蓋体９は、不用意に開くことはないが、使用するに際して前記密閉蓋体９を開く場合には、押さえ蓋８の周壁部に設けられた指掛け片８ｃに指先を掛けて押し上げると、図３に示すように、押さえ蓋８の突起部８ｄが密閉蓋４の係止片６の連結部から外れて、密閉蓋４の係止突起４ｄに係止して止まる。
そこで、更に押さえ蓋８を押し上げようとすると、密閉蓋４の係止片６は連結部６ａが薄肉で変形し易く形成されているので、図４に示すように、押さえ蓋８の締めつけから解かれた係止片６は、外向きに変形して係止力が小さくなった状態になる。
【００１８】
このようにして、押さえ蓋８の突起部８ｄが密閉蓋４の係止突起４ｄに係止して、弱い力でも押し上げ可能な状態になる密閉蓋４と押さえ蓋８からなる上記密閉蓋体９は、更に、図１に示すように、押さえ蓋８を押し上げることにより一緒に密閉蓋４が容器本体２の口頸部３から簡単に外れるので、本願の密開蓋体９は容易に開くことが可能である。
上記のようにして密閉蓋体９が開いた密閉容器１から内容物を取り出して使用した後に、再び密閉蓋体９を閉じると、密閉用のパッキンや密封材７が開口端に密着されると共に係止片６は係合突起３ａに係止されて密閉状態になると同時に、係止片６はその上から押さえ蓋８の周壁部８ｄにより締めつけられて不用意に開蓋しない状態に保持される。
【００１９】
上記した実施例に於ける本願発明の開閉自在な密閉蓋体９を有する密閉容器１は、中空容器本体１の開口部を密閉する密閉蓄４を、口頸部に蝶番により連結して開閉自在にすると共に、該密閉蓋に係止片６を設けて口頸部３に係止して固定するようにしたものに於いて、日頸部３に係止する前記密閉蓋４に押さえ蓋８を被着して係止片６を締めつけるようにして密開蓋体９を構成して、該密開蓋体９が不用意には開かないようにしたものであり、また、係止片６を締めつける押さえ蓋８を、図１や図２に示すように、密閉蓋４の周縁部のみを締めつけるようにした環状体に近似したものとなしたが、本願発明はこのような構造をしたものに限定されたものではない。
例えば、外蓋である押さえ蓋を、中蓋の天板面に密接するような形状にして、中蓋の全面を締め付けるようにしたり、あるいは、前記した実施例に於ける中蓋である密開蓋４について、図５（ｂ）に示すように、複数個の係止片６を設けた形状にしたものを用いることにより、更に密閉性を強くした密閉容器に形成することができる。
【００２０】
上記したのとは別の実施例として、例えば、熱可塑性合成樹脂を射出成形して、図６に示すように、クリーム等を収容する内壁部１２ａと、前記収容凹部の口頸部１３に段部を設けて連設する外壁部１２ｂとからなる中空容器を形成すると共に、前記口頸部の外周面に内蓋である密閉蓋１４の係止片１６が係合する係合突起１３ａを形成して、各種の内容物を収容して蓋体により密閉する密閉容器の容器本体１２を形成する。
また、前記したパッキンや密封材に代えてアルミ箔等の気密性の密封シート材を用いて密封することもできる。
【００２１】
また、同様に熱可塑性合成樹脂の射出成形により、前記容器本体１２の口頸部１３に嵌合可能な密閉蓋１４に成形して、該密閉蓋の天板１４ａの周縁部に垂設した嵌合壁１４ｂの下端部に薄肉の連結部を介して口頸部１３の係合突起１３ａに係合する係止片１６を複数個設けて係止可能に形成すると共に、天板１４ａの周縁部に立設した筒状壁１４ｃの外周に外蓋１８を螺着するネジ１４ｄを形成して、図６に示すような口頸部１３に固定可能な密閉蓋１４を形成する。
同じく熱可塑性合成樹脂を射出成形して、前記密閉蓋に被着可能な外蓋１８を形成して、該外蓋の円筒部１８ａの内周面にネジ１８ｂを設けて前記密閉蓋の筒状壁１４ｃに螺着可能に形成して、前記密閉蓋１４に被着して一体となして、図８に示すような容器本体１２の口頸部に着脱可能な密閉蓋体１９を構成する。
【００２２】
上記のように形成した密閉容器の容器本体１２にクリーム等の内容物を収容してから、図８に示すように、容器本体の口頸部１３に前記密開蓋体１９を嵌合させて、図７に示すように、密閉蓋１４の係止片１６を口頸部の係合突起１３ａに係止させてから外蓋１８を回動すると、密開蓋１４は係止片１６が口頬部に設けられた回り止めリブに係止して回動不能となり、図６に示すように、外蓋１８だけが回動して下降して、前記密閉蓋の係止片１６を外から締めつける結果、密閉蓋体１９は不用意には開蓋しないように固定された密閉容器１１が構成される。
【００２３】
このような構成をした密閉容器１１を使用するには、図６に示す密閉蓋体１９を開放する方向に回動させると、外蓋１８のみが回動して上昇する結果、図７に示すように、締めつけられていた係止片１６は、開放されて変形可能な状態になる。
そこで、外蓋１８を掴んで密閉蓋体１９を引き上げると、外蓋の内面に設けられた係止片１８ｃが密閉蓋１４の上面部に設けた筒状壁１４ｃの内周面に設けた係合部１４ｅに係合して、密閉蓋１４は上方へ移動する結果、図８に示すように、密閉蓋の係止片１６は簡単に外側へ開くように変形して口頸部１３の係合突起１３ａから外れるので、密閉蓋体１９は容易に容器の口頸部１３から取り外すことができて、内容物を使用することが可能になる。
【００２４】
【発明の効果】
以上述べたように、本願発明は、密開容器の口頸部に開開自在な密開蓋を嵌着して開口部を密閉する手段として、従来の開口部を密閉する密閉蓋の上に押さえ蓋である外蓋を被せて、中蓋である前記密閉蓋を口頸部に対して締めつけるような構造にして、密閉蓋の開閉を行うための係止片を容易に変形させることができる構造にしても、不用意に密閉蓋が開くことがなくて、密閉蓋の開閉を簡単に操作することが可能になった。
【図面の簡単な説明】
【図１】本願発明の密閉容器を示す斜視図である。
【図２】図１に示す密閉容器の不使用時の断面図である。
【図３】図２に示した密閉容器の密閉蓋体を開く際の説明図である。
【図４】本願発明の密開容器の密閉蓋体を開く直前の断面である。
【図５】図１に示す密閉容器に用いた密閉蓋（ａ）と変形例の・密閉蓋（ｂ）を示した斜視図である。
【図６】別の密閉蓋体を用いた密閉容器の不使用時の断面図である。
【図７】図６に示した密閉容器の密閉蓋体を開く際の説明図である。
【図８】図６に示す密閉容器の密閉蓋体を開く直前の断面である。
【図９】従来の容易に開閉可能な密閉容器を示す斜視図である。
【図１０】図９に示した密閉容器の閉蓋時の断面図である。
【符号の説明】
１．密閉容器
２．容器本体
３．口頸部
３ａ．係合突起
４．密閉蓋
５．蝶番部
６．係止片
６ａ．．薄肉部
７．パッキン
８．押さえ蓋
９．密閉蓋体
【図１】
2005022730.tif 000003
【図２】
2005022730.tif 000004
【図３】
2005022730.tif 000005
【図４】
2005022730.tif 000006
【図５】
2005022730.tif 000007
【図６】
2005022730.tif 000008
【図７】
2005022730.tif 000009
【図８】
2005022730.tif 000010
【図９】
2005022730.tif 000011
【図１０】
2005022730.tif 000012